(57)【要約】      （修正有）【課題】刷毛を傷めずに安定的に固定し、より多くの刷毛をペンキ缶の内部に保管ができる吊り器具を提供する。【解決手段】多種多様な筋違い刷毛６の柄部の二股構造から生じる空洞部に張り出し部を挿入する。これにより、ペンキ缶８の開口端末上部に設置された支持板Ａ、円形支持板Ａ、連結支持板Ａ、連結支持板Ｂに、刷毛６をペンキ缶８の内部で吊り上げて中空の状態で保管する事ができる。さらに、上記の刷毛先を傷めない機能を備えた支持板Ａ、円形支持板Ａ、連結支持板Ａ、連結支持板Ｂと、刷毛自体に吊り機能を持たせたフック１３とを設けて刷毛を保管する吊り器具を形成する。【選択図】図１２
0003172141.tif 000002
【実用新案登録請求の範囲】
【請求項１】
刷毛自体に吊り器具の機能を持たせる略コの字形の外部のフック（１３）または略Ｗ字形の内部のフック（１３）は、返し部（１４）を少なくとも一箇所以上備えた一体化構造のフック（１３）であって、刷毛（６）の柄部（７）の内側面あるいは外側面に円空洞（１５）を施し、円空洞（１５）に差し込むためフック（１３）の先端部を屈折し挿入させることにより、刷毛（６）と連結したフック（１３）が設けられ、円空洞（１５）を支点に上下に稼動し、ペンキ缶（８）の開口端末上部に返し部（１４）を掛けることによって、刷毛（６）はペンキ缶（８）の内部で吊り上げた状態で設置され、長期の保管を可能にするフック（１３）を設けたことを、特徴とする刷毛を保管する吊り器具。
【請求項２】
略コの字形の外部のフック（１３）または略Ｗ字形の内部のフック（１３）の先端末部を湾曲形状に形成し、柄部（７）の内側面あるいは外側面に軸となり得る突起物または突起棒を備え、突起物または突起棒に差し込むように形成されたフック（１３）の先端部を少なくとも一箇所以上挿入させることにより、刷毛（６）と連結したフック（１３）が設けられ、突起物または突起棒を支点に上下に稼動するフック（１３）を設けたことを、特徴とする請求項１に記載の刷毛を保管する吊り器具。
【考案の詳細な説明】
【技術分野】
【０００１】
本考案は、塗装刷毛の保管に関するものである。
【背景技術】
【０００２】
登録実用新案第３１６４５４８号の刷毛の削ぎ具の１９プレートＣと２０プレートＤは空間部を備えたことにより、多種多様な刷毛を中空の状態で保管する器具が考案されている。
【０００３】
しかし、登録実用新案第３１６４５４８号は削ぎ具と兼用のため片面だけに刷毛を保管することから、より多くの刷毛を収納して保管することができないという点では問題があった。
【先行技術文献】
【特許文献】
【０００４】
【特許文献１】登録実用新案第３１６４５４８号の公報
【考案の概要】
【考案が解決しようとする課題】
【０００５】
解決しようとする問題点は、より多くの刷毛を傷めずに安定的に固定し、長期保管する機能がない点である。
【課題を解決するための手段】
【０００６】
本考案は、この改善策として、多くの筋違い刷毛の柄部が２枚で構成され上部で結合している二股構造の空洞部を活用した吊り器具と、刷毛の柄部に取り付けるフックとによって、登録実用新案第３１６４５４８号の問題点を解決し、刷毛をペンキ缶の内部に保管できる吊り器具を設け、作業の労務を軽減させる。
【考案の効果】
【０００７】
塗装の現場作業では、数多くの色を扱うため工程ごとに、多種多様の刷毛の管理が必要になってくるが、専用の刷毛入れ箱のシンナーは、色が混ざり合い汚れているため、別途、専用の保管容器を設けなければならない。一般的に刷毛を保管する場合、シンナーを入れたペンキ缶に刷毛を納めるが、この場合、刷毛の重さで毛先が曲がるなど刷毛自身を痛めてしまう。本考案の刷毛の吊り器具は、二股構造である筋違い刷毛の柄部から生じる空間部位に張出し棒を差し込むことで、容易に刷毛を吊り上げる吊り器具と、刷毛の柄部に取り付けるフックとによって、刷毛の長期の保管が可能になるため、作業労務の軽減と刷毛の対応年数を延ばすなど経費の削減効果がある。
【図面の簡単な説明】
【０００８】
【図１】図１のＡは刷毛（６）の側面図である。図１のＢは刷毛の正面及び背面の図である。図１のＣは円形支持板Ａ（４）の断面図と刷毛（６）の側面図である。図１のＤは支持板Ａ（２）の断面図と刷毛（６）の側面図である。
【図２】図２の１は支持板Ａ（２）の側面図と刷毛（６）の正面と背面の図である。図２の２は支持板Ａ（２）の平面図と刷毛（６）の平面図である。
【図３】図３の１は支持板Ａ（２）とペンキ缶（８）の平面図である。図３の２は支持板Ａ（２）とペンキ缶（８）と刷毛を透視した斜視図である。
【図４】図４の１は円形支持板Ａ（４）の断面図である。図４の２は支持板Ａ（２）の断面図である。図４の３は支持板Ａ（２）の側面図である。図４の４は支持板Ａ（２）の平面図である。
【図５】図５の１は支持板Ａ（２）を十字形状に形成した平面図である。図５の２は十字形状の支持板Ａ（２）とペンキ缶（８）の平面図である。
【図６】図６の１は円形支持板Ａ（４）の平面図である。図６の２は円形支持板Ａ（４）とペンキ缶（８）の斜視図である。
【図７】図７の１は連結支持板Ａ（１１）の平面図である。図７の２は連結支持板Ａ（１１）とペンキ缶（８）の平面図である。
【図８】図８の１は連結支持板Ｂ（１２）の平面図である。図８の２は連結支持板Ｂ（１２）とペンキ缶（８）の平面図である。
【図９】図９の１は円形支持板Ａ（４）とペンキ缶（８）の斜視図である。図９の２は円形支持板Ａ（４）とペンキ缶（８）と刷毛（６）を透視した斜視図である。
【図１０】図１０の１のＡは外部のフック（１３）の正面図であり、Ｂは内外部のフック（１３）の側面図であり、Ｃは外部のフック（１３）の斜視図である。図１０の１のＤは内部のフック（１３）の正面図であり、Ｅは内部のフック（１３）の斜視図である。図１０の２は刷毛（６）の両側面の柄部（７）に円空洞（１５）と内部のフック（１３）を収納した側面図である。図１０の３は円空洞（１５）を施した刷毛（６）に外部のフック（１３）を備えた側面図である。
【図１１】図１１の１のＡは外部のフック（１３）の斜視図であり、Ｂは内部のフック（１３）の斜視図である。図１１の２のＡは内部のフック（１３）の側面図であり、Ｂは内部のフック（１３）の正面図である。図１１の３のＡとＢは柄部（７）と内部のフック（１３）の正面図であり、Ｃは刷毛（６）と内部のフック（１３）の正面図である。
【図１２】図１２のＡは刷毛（６）の正面部の柄部（７）に外部のフック（１３）を備えた正面図であり、Ｂは内部のフック（１３）を備えた正面図であり、Ｃは刷毛（６）の柄部（７）に内外部のフック（１３）を備えた稼動状況の側面図であり、Ｄはペンキ缶（８）の開口端末上部に内外部のフック（１３）の返し部（１４）が設置された断面図である。
【図１３】図１３は刷毛（６）に設けられた内外部のフック（１３）の返し部（１４）がペンキ缶（８）の開口端末上部に設置された状況を透視した斜視図である。
【考案を実施するための形態】
【０００９】
以下、図面に示す実施例により、本考案を図１から図１３によって詳細に説明する。図１の１のＢが示すように、筋違いの刷毛（６）の構成は、毛を挟み込むため柄部（７）が２枚になっており上部で連結することで筋違い刷毛（６）が形成されている。本考案は、図１のＡとＢが示すように柄部（７）の二股構造から生じる空洞部（１０）に図１のＣが示すように、円形支持板（３）の側面部に形成された張り出し部（５）を空洞部（１０）に挿入することによって刷毛を吊るすことができる円形支持板Ａ（４）を設けた。さらに、図１のＤが示すように支持板（１）の両側面部に張り出し部（５）を形成した支持板Ａ（２）を設けた。
【００１０】
図２の１は支持板Ａ（２）の側面図であるが、図２の１のＡとＢは、張り出し部（５）が刷毛（６）の空洞部（１０）に挿入され吊るされている状態を表し、図２の１のＣは、裏側面部に施された張り出し部（５）が刷毛（６）の空洞部（１０）に挿入され吊るされている状態を表している。図２の２は支持板Ａ（２）の平面図で、張り出し部（５）が刷毛（６）の空洞部（１０）に挿入され吊るされている状態を表している。  
【００１１】
図３の１は支持板Ａ（２）をペンキ缶（８）の端末開口上部に設置した平面図であり、図３の２が示すように、ペンキ缶（８）の端末円周上部と支持板Ａ（２）の切込み部（９）とが接合され、ペンキ缶（８）の端末上部に安定した状態で設置された支持板Ａ（２）の張り出し部（５）によって、刷毛（６）を吊るすことができる吊り器具である。
【００１２】
これらを構成する各部位を図４の１〜４によって説明する。図４の１のＡとＢが示すように、円形支持板（３）に張り出し部（５）を形成することで円形支持板Ａ（４）が設けられ、刷毛（６）の空洞部（１０）に挿入するための円形支持板（３）の張り出し部（５）は、内側面部に施されペンキ缶（８）内部の中央方向に張り出し、水平もしくは傾斜度を備えており、張り出し部（５）の先端末部位が図４の２のＢが示すように、上部に屈折した形状に形成されることで挿入された刷毛（６）が抜けない構造となっている。また、張り出し部（５）の形状を図３の２のＡとＢが示すように、幅を大小に変化させることにより、様々な刷毛（６）の柄部（７）に対応できると共に、刷毛（６）の保管位置を上下に設定することが可能になる張り出し部（５）である。
【００１３】
図４の２のＡが示すように、支持板（１）に張り出し部（５）が形成されることで支持板Ａ（２）が設けられ、刷毛（６）の空洞部（１０）に挿入するための支持板Ａ（２）の張り出し部（５）は両側面部に施されている。なお、支持板（１）または円形支持板（３）の側面部に施される張り出し部（５）の位置は刷毛（６）の種類に応じて異なる。
【００１４】
図４の３が示すように、支持板（１）の両端部付近の下部に２箇所の切込み部（９）を備え、ペンキ缶（８）の開口端末上部と切込み部（９）が接合されることで支持板Ａ（２）が安定し得る形状に形成された切込み部（９）である。図４の４が示すように、支持板（１）の両側面部位に張り出し部（５）を互い違いに施すことで、図３の２のように両側面に吊るされた刷毛（６）の接触を防ぐことができる。
【００１５】
図５の１は、２つの支持板Ａ（２）を十字に連結形成した十字形状の支持板Ａ（２）であり、図５の２が示すように、切込み部（９）によって安定的にペンキ缶（８）に設置できると共に多くの刷毛（６）を吊るし保管できる形状の支持板Ａ（２）を設けた。さらに、刷毛（６）の種類によっては、支持板Ａ（２）の断面をアルファベット２６文字の何れかの形状にすることにより、多種多様な刷毛（６）を保管することが可能になる。
【００１６】
図６の１は、円形支持板（３）に形成された張り出し部（５）がペンキ缶（８）内部の中央方向に張り出した様子を表した平面図であり、図６の２が示すように、ペンキ缶（８）の端末上部に円形支持板Ａ（４）を設置した斜視図である。このようにペンキ缶（８）の端末円周上部に複数の張り出し部（５）が接合することで円形支持板Ａ（４）は刷毛（６）を安定した状態で保管することができる。なお、円形支持板Ａ（４）を設置するペンキ缶（８）の外側円周形状より０，５％以上大きく内側円周形状を施した円形支持板（３）を形成することによって着脱を容易にしている。
【００１７】
図７の１は、円形支持板Ａ（４）の内側面部位に接合し得る形状の支持板Ａ（２）を設け、支持板Ａ（２）の両端末部位を円形支持板Ａ（４）の内側面部位に結合形成した連結支持板Ａ（１１）を設けた。図７の２は、ペンキ缶（８）の端末上部に連結支持板Ａ（１１）を設置した平面図である。
【００１８】
図８の１は、円形支持板Ａ（４）の内側面部位に接合し得る形状の十字形状の支持板Ａ（２）を設け、十字形状の支持板Ａ（２）の四方端末部位を円形支持板Ａ（４）の内側面部位に結合形成した連結支持板Ｂ（１２）を設けた。図７の２は、ペンキ缶（８）の端末上部に連結支持板Ｂ（１２）を設置した平面図である。
【００１９】
図９の１は、ペンキ缶（８）の端末上部に円形支持板Ａ（４）を設置することで図９の２のように、ペンキ缶（８）と円形支持板Ａ（４）の着脱が容易になり、刷毛（６）をスムーズに設置することができる吊り器具を表している。
【００２０】
図１０の１のＡは、略コの字形の外部のフック（１３）の正面図であり、Ｂは内外部のフック（１３）の側面図で返し部（１４）が確認できる。Ｃは外部のフック（１３）の斜視図である。Ｄは略Ｗ字形の内部のフック（１３）の正面図であり、Ｅは内部のフック（１３）の斜視図で全体の構成が確認できる一体化構造のフック（１３）である。図１０の２は、柄部（７）に円空洞（１５）を施し、内部のフック（１３）を刷毛（６）に収納した左右側面図である。図１０の３は円空洞（１５）に外部のフック（１３）を取り付けた刷毛（６）の左右側面図である。図１０の１のＡとＣが示すように外部のフック（１３）の左右の端末上部が内側へと屈折し、この屈折した先端部を柄部（７）の外側面部の円空洞（１５）に差し込むことで刷毛（６）の柄部（７）と連結した吊り器具を設けることができる。また、図１０の１のＤとＥが示すように内部のフック（１３）の左右の端末上部が外側へと屈折し、この屈折した先端部を柄部（７）の内側面部の円空洞（１５）に差し込むことで刷毛（６）の柄部（７）と連結した吊り器具を設けることができる。このように先端部を内向きにした外部のフック（１３）は、刷毛（６）の柄部（７）が一本からでも取り付けることができ、先端部を外向きにした内部のフック（１３）は、刷毛（６）の柄部（７）が二股構造の空洞部（１０）に取り付けることで内部に収納される、外部と内部の何れにも取り付けられるフック（１３）を設けている。また、円空洞（１５）に挿入するフック（１３）の先端部の屈折角度はフック（１３）の形状により６０〜１５０度、程度とし、返し部（１４）の屈折角度は９０度以上にすることでより安定的に保管することができる。なお、図１２と図１３では、二股構造の刷毛（６）の柄部（７）に外部のフック（１３）が備えられている図を用いているが、柄部（７）が一本からでも取り付けることができる。
【００２１】
さらに外部のフック（１３）と内部のフック（１３）の先端末部の形状についての説明をする。図１１の１のＡは先端部を内側に直角に屈折させることで柄部（７）の外側面の円空洞（１５）に差し込むことができる外部のフック（１３）であるのに対して、図１１の１のＢは先端部を外側に９０度角以上、屈折させることで柄部（７）の内側面の円空洞（１５）に差し込むことができる内部のフック（１３）である。これらのフック（１３）は円空洞（１５）を支点として稼動するように設けられている。また強度を備えるため柄部（７）の内側面部に突起物あるいは突起棒を施し、図１１の２のＡとＢが示すように湾曲した先端部を設け、図１１の３のＡとＢが示すように、好ましくは円形状の突起物または突起棒に湾曲した先端部を挿入することによって突起物または突起棒を支点として稼動する内部のフック（１３）を設けることができる。図１１の３のＣは突起棒を備えた刷毛（６）と内部のフック（１３）の正面図であるが、必要に応じて一辺角のフック（１３）を用いても良い。さらに、柄部（７）の外側面部に突起物を施した外部のフック（１３）を設けても良い。
【００２２】
図１２のＡは外部のフック（１３）を刷毛（６）に取り付けた状態を表しており、図１２のＢは内部のフック（１３）を刷毛（６）に取り付けた状態を表している。このように内外に取り付けられるフック（１３）は、図１２のＣが示すようにフック（１３）が上下に稼動するように設けられ、図１２のＤが示すように、使用時にはフック（１３）を上に稼動しペンキ缶（８）の開口端末上部に返し部（１４）を掛けることで、刷毛（６）はペンキ缶（８）の内部で吊るされる。内外部のフック（１３）は棒状の連結によって構成され、形状は刷毛の種類により異なる。また、内外部のフック（１３）は図１０の３と図１２のＡとＢが示す状態で、刷毛（６）を使用することから内外部のフック（６）を稼動させないために、フック（１３）を柄部（７）に圧着させるため弾力性を有する金属（超弾性特性）または弾力を有するプラスチックなどを用いる。
【００２３】
図１３が示すように、ペンキ缶（８）の内部に収納された刷毛（６）はペンキ缶（８）の開口端末上部にフック（１３）の返し部（１４）が掛かっている状態を表している。このように刷毛（６）ごとに備え付ける内外のフック（１３）は、刷毛自体に吊り機能を持たせたことを特徴とするフック（１３）式の吊り器具である。なお、略コの字形の外部のフック（１３）または略Ｗ字形の内部のフック（１３）は多角形状であるが、必要に応じて曲線形状を用いても良い。
【００２４】
前記０００９〜前記００２３に記載した材質は、木材、金属類、プラスチック類、合成樹脂類、ゴム類などの用途に応じた素材を用い、支持板（１）または円形支持板（３）の長さは、ペンキ缶（７）の開口端末上部の直径以上で、切込み部（９）は、ペンキ缶（８）の開口端末上部の直径に等しく安定的に接合しうる形状を備え、幅および厚みは、刷毛の重量に耐えうる強度を有する形状の支持板（１）または円形支持板（３）であって、ペンキ缶（８）に応じた形状寸法である。支持板（１）または円形支持板（３）の側面部位に施される張り出し部（５）は少なくとも一箇所以上とし、長さ、幅、厚みの形状及び側面部の形成部位は、刷毛（６）とペンキ缶（８）種類に応じて異なるものである。なお、支持板（１）または円形支持板（３）の断面は、アルファベットＡ〜Ｚの２６文字形、長方形、三角形、四角形〜三十角形、楕円形、半円、円形の何れか若しくは複合した形状であって、張り出し部（５）の形状は、長方形、三角形、四角形〜三十角形、楕円形、半円、円形の何れかの棒形状で構成される。図１から図１４に記載した図書は実際の寸法、形状とは異なるものである。
【産業上の利用可能性】
【００２５】
このように、多種多様な刷毛（６）を保管する機能を有する吊り器具は、容易に刷毛（６）を保管できるため、労務効率を向上させ、労務費および塗装刷毛などの消耗品の対応年数を延ばすことができるなど工事に関わる費用の削減を可能にした。
【符号の説明】
【００２６】
１  支持板
２  支持板Ａ
３  円形支持板
４  円形支持板Ａ
５  張り出し部
６  刷毛
７  柄部
８  ペンキ缶
９  切込み部
１０空洞部
１１連結支持板Ａ
１２連結支持板Ｂ
１３フック
１４返し部
１５円空洞
【図１】
0003172141.tif 000003
【図２】
0003172141.tif 000004
【図３】
0003172141.tif 000005
【図４】
0003172141.tif 000006
【図５】
0003172141.tif 000007
【図６】
0003172141.tif 000008
【図７】
0003172141.tif 000009
【図８】
0003172141.tif 000010
【図９】
0003172141.tif 000011
【図１０】
0003172141.tif 000012
【図１１】
0003172141.tif 000013
【図１２】
0003172141.tif 000014
【図１３】
0003172141.tif 000015